(57)【要約】本発明は、可撓細長物品（２０）を収納、携帯するためのケース（１０）を提供する。このケースは、上面（１０２）に複数の直立掛け釘（１５０）を有するベース部材（１００）と、ベース部材に解放自在に係止される蓋（２００）から成り、該蓋は、ベース部材に対して閉じられたとき、掛け釘を該蓋に接触させ、それによって、可撓細長物品を掛け釘によって動かないように拘束するとともに、可撓細長物品の絡まりを防止することを特徴とする。
2006514905.tif 000002
【特許請求の範囲】
【請求項１】
可撓細長物品を収納、携帯するためのケースであって、
（ａ）上面に複数の直立掛け釘を有するベース部材と、
（ｂ）該ベース部材の上面を覆うようになされた蓋と、
（ｃ）前記蓋が前記ベース部材に対して閉じられたとき、前記掛け釘を該蓋に接触させた状態で該蓋をベース部材に解放自在に係止し、それによって、前記可撓細長物品を前記掛け釘によって動かないように拘束するとともに、該可撓細長物品の絡まりを防止するための固定手段と、
から成ることを特徴とするケース。
【請求項２】
前記ベース部材は、その上面に設けられたベースインサートを有し、前記複数の直立掛け釘は、該ベースインサートに植設されている請求項１に記載のケース。
【請求項３】
前記ベースインサートは、限られた圧縮特性を有する弾性部材で形成されている請求項２に記載のケース。
【請求項４】
前記掛け釘は、前記ベース部材の上面の実質的に全面に亘って等間隔に配置されている請求項１に記載のケース。
【請求項５】
前記掛け釘は、前記ベース部材の上面の一部分に亘ってのみ等間隔に配置されている請求項１に記載のケース。
【請求項６】
前記掛け釘は、前記ベース部材の上面のほぼ６０〜９０％の面積に亘って等間隔に配置され、該ベース部材の上面の一側縁に沿った区域には掛け釘が設けられていない請求項５に記載のケース。
【請求項７】
前記掛け釘は、前記ベース部材の上面に等間隔で並べられた縦横の列として配置されている請求項１に記載のケース。
【請求項８】
前記ベース部材の上面の前記掛け釘の横列及び縦列の間隔は、ほぼ３／４インチである請求項７に記載のケース。
【請求項９】
前記掛け釘は、ほぼ円筒形状である請求項１に記載のケース。
【請求項１０】
前記掛け釘は、細長物品を掛け釘に掛けたり、掛け釘から外すのを容易にするためにその下端を上端より大径としたほぼ切頭円錐形である請求項１に記載のケース。
【請求項１１】
前記掛け釘は、細長物品を掛け釘に掛けたり、掛け釘から外すのを容易にするためにヘッド部分がほぼ丸形にされている請求項１に記載のケース。
【請求項１２】
前記掛け釘の高さは、ほぼ１／２インチである請求項１に記載のケース。
【請求項１３】
前記掛け釘は、前記蓋は、容器おもて面材と、蓋インサートとから成り、該蓋インサートは、フォーム材である請求項１に記載のケース。
【請求項１４】
前記フォーム材は、接着剤を裏張りされたポリウレタンシートである請求項１３に記載のケース。
【請求項１５】
前記シートは、ほぼ１／８インチの厚さを有する請求項１４に記載のケース。
【請求項１６】
前記掛け釘は、前記蓋が前記ベース部材に対して閉じられたとき、該蓋のフォーム材に接触し該フォーム材に部分的に食い込む請求項１３に記載のケース。
【請求項１７】
前記蓋は、閉鎖位置と開放位置の間で枢動させることができるように、前記ベース部材に枢動自在に取り付けられている請求項１に記載のケース。
【請求項１８】
可撓細長物品並びにその他の物品を収納、携帯するためのケースであって、
（ａ）上面に複数の直立掛け釘を有し、下面に複数の画室を形成するための少くとも１つの画室仕切部材を有するベース部材と、
（ｂ）該ベース部材の上面を覆うようになされた蓋と、
（ｃ）該蓋が前記ベース部材に対して閉じられたとき、前記掛け釘を該蓋に接触させた状態で該蓋をベース部材に解放自在に係止し、それによって、前記可撓細長物品を前記掛け釘によって動かないように拘束するとともに、該可撓細長物品の絡まりを防止するための固定手段と、
（ｄ）前記ベース部材の下面を覆うための第２蓋と、
（ｅ）該第２蓋が前記ベース部材に対して閉じられたとき、前記少くとも１つの画室仕切部材を該第２蓋に接触させた状態で該第２蓋を該ベース部材に解放自在に係止し、それによって、前記複数の画室内の他の物品を少くとも前記画室仕切部材と該第２蓋とによって該画室内に完全に、かつ、しっかりと収納させるための第２固定手段と、
から成ることを特徴とするケース。
【請求項１９】
前記第２蓋は、容器おもて面材と、第２蓋インサートとから成り、該第２蓋インサートは、フォーム材である請求項１８に記載のケース。
【請求項２０】
前記フォーム材は、接着剤を裏張りされたポリウレタンホームのシートである請求項１９に記載のケース。
【請求項２１】
前記シートは、ほぼ１／８インチの厚さを有する請求項２０に記載のケース。
【請求項２２】
前記細長物品は、ネックレスであり、前記その他の物品は、化粧品及び宝石類である請求項１８に記載のケース。
【請求項２３】
前記細長物品は、鉤素等であり、前記その他の物品は、テークル及びその他の釣り具である請求項１８に記載のケース。
【請求項２４】
所望のサイズの物品を保持するための複数の異なる所望のサイズの画室を形成することを可能にするための複数の調節自在の画室仕切部材が設けられている請求項１８に記載のケース。
【請求項２５】
前記蓋は、前記ベース部材の一端に枢動自在に取り付けられ、前記第２蓋は、該ベース部材の反対側の他端に枢動自在に取り付けられている請求項１８に記載のケース。
【請求項２６】
前記固定手段及び第２固定手段は、各々、ラッチ受けブロックに係合するラッチから成る請求項１８に記載のケース。
【請求項２７】
可撓細長物品を収納、携帯するためのケースであって、
（ａ）上面に複数の直立掛け釘を有するベース部材と、
（ｂ）該ベース部材の上面を覆って解放自在に固定されるようになされた蓋とから成り、該蓋は、前記掛け釘を該蓋に接触させた状態で該蓋をベース部材の上面を覆ようになされていることを特徴とするケース。
【発明の詳細な説明】
【技術分野】
【０００１】
本発明は、可撓細長物品を収納し、携帯するためのケースに関し、特に、例えばネックレスやブレスレット等の可撓細長物品をそれらの物品が損傷したり絡まったりするのを防止する態様で収納し、携帯する（持ち運ぶ）のに用いるためのケースに関する。
【背景技術】
【０００２】
従来、化粧品や宝石等の収納及び携帯を容易にするためのものとされる多くの化粧品ケース及び宝石ケースが知られている。例えば、米国特許第５，３５８，１００号は、化粧品や宝石類等の物品を整理された態様で保持し、収容するための容器を開示している。このデバイスは、基本的には、それぞれ特定の物品を保持するように特別に形成された複数の画室を備えている。しかしながら、このようなデバイスは、複数のネックレス等を過度の曲げによる損傷を受けないような態様で、あるいは、他のネックレス等と絡まるのを防止するような態様で持ち運ぶという課題に対する解決策とはならない。同様に、米国意匠登録第３６４，５０５号に開示されている宝石整理ケースも、単に、複数の画室を備えているだけである。
【０００３】
米国特許第６，０５９，０９８号は、複数のリング（指輪、イアリング等）を保持するための宝石ケースを開示している。この宝石ケースは、リングを支持する支柱５２の複数の互いに間隔を置いて配置された層を有しており、それらの支柱層は、宝石ケースを閉じたとき、交互に段違い関係に配置されるようになされている。しかしながら、この特許は、ネックレスやその他の可撓細長物品の収容又は収納に随伴する問題の解決には向けられていない。
【０００４】
米国特許第６，０１２，５７１号は、ネックレスやブレスレット等のチェーン付き宝石を収容するための宝石ケースを開示している。このデバイスは、ケース内でチェーンをばね付勢された２つの支持点の間にぴんと張ることによってチェーン付き宝石の損傷及び絡まりを防止することを企図している。この特許は、宝石への損傷を回避するためには各々の宝石に適正レベルの緊張を付与することが慣用であると教示している。従って、各宝石は、それぞれ異なる距離のところに位置するいろいろな支持点の間にぴんと張り渡すことができ、そうすることによって、いろいろな異なるサイズのチェーン付き宝石に対応することができる。複数のばね付勢されたフックキャリア（担持部材）に整列してそれぞれ掛け釘列が配置されている。それらのフックキャリアは、掛け釘列に向かって摺動することができる。しかしながら、この特許のデバイスは、絡まりを防止する手段を提供するものの、構造が複雑に過ぎ、適正に使用するには時間がかかる。ユーザーは、チェーン付き宝石を１個１個細心の注意を払ってケース内に挿入する時間がなかったり、好まないことが多い。又、損傷するおそれなしに引張力に耐えることができないような軟質材で形成された非常に脆弱で繊細なネックレスやブレスレットが多い。
【０００５】
米国特許第４，８４８，５８５号は、各宝石を懸吊し、整理する（整然と収容する）ための複数の画室を有する宝石収容ケースを開示している。このケースは、互いにヒンジで連結されたトレー１２ａ−１２ｃを備えており、図１に示されるように、竪置きである。又、イアリングを保持するための孔６８が設けられている。更に、図１及び６に示されるように、各々、延長バー７２と端部保持バー７４とから成るＬ字形部分を有する複数のフック７０が設けられており、この宝石ケース１０が上下逆さにされてときでも、ネックレス７６が偶発的に外れ落ちることがないように変形自在の上部保持バー７８が設けられている。しかしながら、このデバイスでは、個々のネックレス等を１つ１つ特定のフックに掛けて所定位置に保持しなければならず、それは、非常に手間のかかる作業である。しかも、保持バー７８はネックレス７６が外れ落ちるのを防止するが、宝石ケースが上下逆さにされたとき、ネックレス７６がそれに近接する他の長いネックレスと絡まるのを防止することはできない。
【特許文献１】米国特許第５，３５８，１００号明細書
【特許文献２】米国意匠登録第３６４，５０５号明細書
【特許文献３】米国特許第６，０５９，０９８号明細書
【特許文献４】米国特許第６，０１２，５７１号明細書
【特許文献５】米国特許第４，８４８，５８５号明細書
【発明の開示】
【発明が解決しようとする課題】
【０００６】
従って、可撓細長物品を損傷したり絡まったりするおそれなしに容易に出し入れすることができる収納・携帯ケースを求める要望が依然として存在する。
【課題を解決するための手段】
【０００７】
本発明は、可撓細長物品を収納、携帯するための新規なケースを提供することによって上記の課題を解決する。基本的には、本発明のケースは、上面に複数の直立（上向き突出した）掛け釘を有するベース部材（ベース容器）と、該ベース部材の上面を覆うようになされた蓋とから成り、好ましくは、前記蓋が前記ベース部材に対して閉じられたとき、前記掛け釘を該蓋に接触させた状態で該蓋をベース部材に解放自在に係止し、それによって、可撓細長物品を前記掛け釘によって動かないように拘束するとともに、可撓細長物品の絡まりを防止するための固定手段を備えていることを特徴とする。
【０００８】
好ましくは、前記ベース部材は、その上面に設けられたベースインサートを有し、前記複数の直立掛け釘は、該インサートに植設される。このベースインサートは、限られた圧縮特性を有する弾性部材で形成することが好ましい。
【０００９】
前記掛け釘は、ベース部材の上面の実質的に全面に亘って等間隔に配置することができるが、ベース部材の上面の一部分に亘ってのみ等間隔に配置することが好ましい。具体的にいえば、掛け釘は、ベース部材の上面のほぼ６０〜９０％の面積に亘って等間隔に配置し、上面の一側縁に沿った区域には掛け釘を設けないことが好ましい。
【００１０】
好ましくは、掛け釘は、ベース部材の上面にほぼ３／４インチの等間隔で並べられた縦横の列として配置することが好ましい。
【００１１】
本発明の好ましい実施形態では、掛け釘は、ほぼ円筒形状とする。この形状では、前記蓋のフォーム材に接触し圧縮する掛け釘の頂端面の面積を大きくすることができ、細長物品を所定位置により堅く保持することを可能にする。本発明の変型実施形態では、掛け釘は、細長物品を掛け釘に掛けたり、掛け釘から外すのを容易にするためにその下端を上端より大径としたほぼ切頭円錐形とする。掛け釘のヘッド部分は、細長物品の掛け外しを容易にするためにほぼ丸形にすることが好ましい。いずれの実施形態においても、掛け釘の高さは、ほぼ１／２インチとすることが好ましい。
【００１２】
本発明の掛け釘は、ほぼ円形の断面形状を有する従来の典型的な掛け釘の形状・寸法を有することが好ましいが、ここでいう「掛け釘」は、それに限定されるものではなく、ベース部材の上面から上向きに突出した任意のサイズ、形状を有する構造体を含む広義の意味に解すべきである。掛け釘に通された、又は掛けられた細長物品がベース部材の上面上に座置するように、掛け釘の底端の外周は、ベース部材の上面の外縁より完全に内側に位置させることが好ましい。掛け釘の断面形状は、例えば、円形、正方形、楕円形、長方形であってもよく、あるいは、例として幾つか挙げれば、Ｌ字やＴ字のような比較的複雑な形状であってもよい。又、ベース部材の上面の利用可能な表面積の大きな部分を占める（任意の形状の）僅かな数の大型掛け釘を設けることもできる。この構成の場合、細長物品が座置するベース部材の上面から突出した大型掛け釘の間には、少数の谷間又は通路しか残されない。添付図に示されるように、多数の小さい掛け釘を設けることが好ましい。
【００１３】
本発明の好ましい実施形態では、前記蓋は、容器おもて面材と、蓋インサートとから成り、蓋インサートは、接着剤を裏張りされた厚さほぼ１／８インチのポリウレタンシートのようなフォーム材とする。
【００１４】
好ましくは、前記蓋が前記ベース部材に対して閉じられたとき、前記掛け釘が該蓋のフォーム材に接触してそれを圧縮し、フォーム材に部分的に食い込む。更に、蓋は、閉鎖位置と開放位置の間で枢動させることができるように、ベース部材に枢動自在に取り付けることが好ましい。
【００１５】
好ましくは、蓋をベース部材に解放自在に係止するための別個の固定手段を設ける。この目的のためには、例えば幾つかの例を挙げると、ラッチ受けブロックに係合するラッチ、ストラップ、フックと孔付き部材、ゴムバンドやバンジーコードのような弾性部材、テープ、ベルクロテープやコネクタ（マジックテープやコネクタ）、磁気コネクタ、スナップ、ボタン、ジッパー、１回以上繰り返し使用できる粘着部材等の既知の固定デバイスのうちの任意のものを利用することができる。ただし、別個の固定手段を設けることは必須の要件ではなく、ベース部材の外周に摩擦によって解放自在に保持されるフランジ等を蓋に形成してもよい。あるいは又、蓋は、別個の固定手段を用いずに、その他の手段によってベース部材に解放自在に固定することもできる。
【００１６】
本発明の別の実施形態によれば、可撓細長物品並びにその他の物品を収納、携帯するための新規なケースが提供される。このケースは、上面に複数の直立掛け釘を有し、下面に複数の画室を形成するための少くとも１つの画室仕切部材を有するベース部材と、該ベース部材の上面を覆うようになされた蓋と、該蓋が前記ベース部材に対して閉じられたとき、前記掛け釘を該蓋に接触させた状態で該蓋をベース部材に解放自在に係止し、それによって、可撓細長物品を前記掛け釘によって動かないように拘束するとともに、可撓細長物品の絡まりを防止するための固定手段と、前記ベース部材の下面を覆うための第２蓋と、該第２蓋が前記ベース部材に対して閉じられたとき、前記少くとも１つの画室仕切部材を該第２蓋に接触させた状態で該第２蓋をベース部材に解放自在に係止し、それによって、前記複数の画室内の他の物品を少くとも前記画室仕切部材と該第２蓋とによって該画室内に完全に、かつ、しっかりと収納させるための第２固定手段と、から成る。
【００１７】
好ましくは、前記第２蓋は、容器おもて面材と、第２蓋インサートとから成り、第２蓋インサートは、接着剤を裏張りされた厚さほぼ１／８インチのポリウレタンシートのようなフォーム材とする。
【００１８】
本発明は、ネックレス、ブレスレット及びその他のチェーン付き宝石等の可撓細長物品、及び化粧品やその他の宝石等の他の物品を収容し、携帯する（持ち運ぶ）のに特に有用である。あるいは又、このケースは、鉤素等のような可撓細長物品をテークル、ルアー等の他の物品と共に携帯するのに好適に用いることもできる。
【００１９】
本発明のケースには、所望のサイズの物品を保持するための複数のいろいろな異なる所望のサイズの画室を形成することを可能にするための複数の調節自在の画室仕切部材を設けることが好ましい。
【００２０】
前記蓋は、前記ベース部材（ベース容器）の一端に枢動自在に取り付け、前記第２蓋は、該ベース部材（ベース容器）の反対側の他端に枢動自在に取り付けることが好ましい。前記固定手段及び第２固定手段は、ラッチ受けブロックに係合するラッチから成るものとすることが好ましい。
【発明を実施するための最良の形態】
【００２１】
図１〜５を参照すると、ネックレス２０等の可撓細長物品を収納し、携帯するための本発明の好ましい実施形態によるケース１０が示されている。ケース１０は、上面１０２に複数の直立掛け釘１５０を有するベース部材１００を含む。掛け釘１５０は、ベース部材の上面１０２に直接形成してもよいが、限られた圧縮特性を有する弾性部材で形成された別個のベースインサート１３０を設け、そのインサートに上記複数の直立掛け釘１５０を植設することが好ましい。
【００２２】
ケース１０は、更に、ベース部材１００の上面１０２を覆うようになされた蓋２００を含み、蓋２００がベース部材１００に対して閉じられたとき、掛け釘１５０を蓋２００に接触させた状態で蓋２００をベース部材１００に解放自在に係止するための固定手段３００が設けられる。固定手段３００は、ラッチ３０２と、ラッチ受けブロック３０４とから成る。この構成により、細長物品２０は、掛け釘１５０によって動きを拘束され、細長物品２０の絡まりが防止される。
【００２３】
掛け釘１５０は、ベース部材１００の上面１０２の実質的に全面に亘って等間隔に配置することができるが、上面１０２の全面積の一部分、例えばベース部材の上面の全面積のうちのほぼ６０〜９０％の区域に亘って等間隔に配置し、上面１０２の一側縁１１２に沿った区域１１０には掛け釘を設けないことが好ましい。掛け釘のない開放区域１１０は、ネックレスチェーン等に取り付けられたクロスやペンダント等の大きい宝石を収容する余地を提供する。図示の例では、掛け釘１５０は、等間隔で並べられた横列（横列の釘は符号１５４で示されている）及び縦列（縦列の釘は符号１５２で示されている）として配置することが好ましい。縦列及び横列の間隔は、ほぼ３／４インチとすることが好ましい。
【００２４】
図１〜５に示されるように、掛け釘１５０は、ほぼ円筒形状とすることが好ましいが、他の任意の好便な形状とすることができる。例えば、掛け釘は、図６に符号１５０’で示されるように、下端１５４’を上端１５２’より大径としたほぼ切頭円錐形としてもよい、この形状の掛け釘は、細長物品２０を掛け釘に掛けたり、掛け釘から外すのを一層容易にする。
【００２５】
図４に示されるように、掛け釘１５０のヘッド部分１５１は、細長物品２０の掛け外しを容易にするためにほぼ丸形にすることが好ましい。掛け釘１５０の寸法は、それに掛けるべき細長物品２０のタイプ及びサイズに応じて決められるが、大抵のチェーン付き宝石にとって、掛け釘の高さは、ほぼ１／２インチとすることが好ましい。
【００２６】
蓋２００は、接着剤を裏張りされたポリウレタンシートのようなフォーム材で形成された蓋インサート１８０を含むものとすることが好ましい。チェーン付き宝石類を入れる場合、ポリウレタンシート１８０の厚さは、ほぼ１／８インチとすることが好ましい。図４に示されるように、蓋２００がベース部材１００に対して閉じられると、掛け釘１５０は、蓋インサート１８０のフォーム材に接触してそれを圧縮し、フォーム材に部分的に食い込む。図に示されるように、蓋２００は、閉鎖位置と開放位置（図５参照）の間で枢動させることができるように、ベース部材１００にヒンジ３１０によって枢動自在に取り付けることが好ましい。
【００２７】
必須要件ではないが、本発明のケースには、可撓細長物品を収容することに加えて、他の物品を収容するための複数の画室を設けることが好ましい。そのために、ベース部材１００には、その上面１０２に設けられた複数の直立掛け釘１５０に加えて、下面１０４に複数の画室６０２を形成するための少くとも１つの画室仕切部材６００を設ける。上述したように、ベース部材１００の上面１０２を覆うようになされた蓋２００が設けられており、蓋２００は、ベース部材１００に対して閉じられたとき、掛け釘１５０を該蓋に接触させた状態で固定手段３００によってベース部材に解放自在に係止される。同様にして、ベース部材１００の下面１０４を覆うための第２蓋４００が設けられ、第２蓋４００がベース部材に対して閉じられたとき、前記少くとも１つの画室仕切部材６００を第２蓋４００に接触させた状態で該第２蓋をベース部材に解放自在に係止するための第２固定手段５００が設けられる。それによって、複数の画室６０２内の他の物品は、少くとも前記画室仕切部材６００と第２蓋とによって該画室内に完全に、かつ、しっかりと収納される。
【００２８】
第２蓋４００も、やはり、好ましくは厚さほぼ１／８インチの接着剤裏張りポリウレタンシートのようなフォーム材で形成された第２蓋インサート４８０を含むものとすることが好ましい。この構成によれば、ケース１０は、ネックレス、ブレスレット及びその他のチェーン付き宝石のような細長物品を掛け釘１５０によって保持することができるだけでなく、化粧品及びリングやイアリングのような宝石等の他の物品を画室６０２内に収納することもできる。本発明は、チェーン付き宝石を収容携帯するのに用いることを企図されたものであるが、そのような物品だけを収容することに限定されるものではなく、任意のタイプ又は種類の可撓細長物品を収容するのに使用することができる。一例を挙げれば、細長物品は、鉤素や釣り糸等であり、他の物品は、例えばルアー、テークル及びその他の釣り道具であってよい。
【００２９】
図３に示されるように、ケース１０は、所望のサイズの物品を保持するための複数のいろいろな異なる所望のサイズの画室６０２を形成することを可能にするための複数の調節自在の画室仕切部材６００を備えている。
【００３０】
蓋２００は、ベース部材の一端にヒンジ３１０によって枢動自在に取り付けられ、第２蓋４０は、ベース部材の反対側の他端にヒンジ５１０によって枢動自在に取り付けられている。固定手段３００及び第２固定手段５００は、それぞれ、ラッチ受けブロック３０４，５０４に係合するラッチ３０２，５０２から成る。
【００３１】
使用に際しては、ラッチ３０２を引き外して蓋２００を開放位置へ枢動させ、掛け釘１５０を露出させる。次いで、複数のネックレス、ブレスレット、チェーン付き宝石又は任意の可撓物品を掛け釘１５０の周りに無作為に（ランダムに）落とし掛ける、又は投げ掛けることができる。各細長物品は、横列及び縦列の幾つかの掛け釘１５０の周りに巻きつく。本発明の大きな利点は、細長物品を掛け釘１５０に掛けるとき、何らの注意を払う必要もなく、細長物品の挿入をほとんど瞬間的に行うことができるということである。図示を簡略にするために、ネックレス２０は、１つの縦列の掛け釘１５０の周りにきちんと掛けられたものとして示されているが、実際は、「８」の字パターン又はもっと複雑なパターンになり、いろいろなランダムな掛け釘の周りに巻きつくことが多い。
【００３２】
細長物品を掛け釘１５０の周りに文字通り投げ掛けたならば、蓋２００を閉じてインサート１８０のフォーム材を掛け釘１５０に圧接し、細長物品を所定位置にしっかりと保持し、搬送中にケースが上下逆にされたり、その他の態様で動かされたり揺さぶられたりすることにより細長物品が絡まるのを防止する。
【００３３】
細長物品がケース１０内に詰められたならば、ケースを裏返しにし、ラッチ５０２を引き外して第２蓋４００を開く。画室６０２の所望のサイズ、個数及び配置を設定するために素早く画室仕切部材６００を操作し、化粧品等の他の物品を画室６０２内に詰める。次いで、第２蓋４００を閉じて第２蓋インサート４８０を画室仕切部材６００に圧接し、それらの他の物品をそれぞれの画室６０２内に封入する。
【００３４】
以上、本発明を実施形態に関連して説明したが、本発明は、ここに例示した実施形態の構造及び形状に限定されるものではなく、いろいろな実施形態が可能であり、いろいろな変更及び改変を加えることができることを理解されたい。
【図面の簡単な説明】
【００３５】
【図１】図１は、本発明のケースのベース、ベースインサート及び蓋の頂部からみた透視図である。
【図２】図２は、本発明のケースのベース、蓋及び第２蓋の上からみた平面図である。
【図３】図３は、本発明のケースのベース及び第２蓋の底部からみた透視図である。
【図４】図４は、本発明のケース断面図であり、掛け釘がフォーム材から成る蓋インサートに接触しており、画室仕切部材が第２蓋に接触している状態を示す。
【図５】図５は、本発明のケースの端面図であり、閉鎖位置にある蓋及び第２蓋を実線で示し、開放位置にある蓋及び第２蓋を鎖線で示す。
【図６】図６は、切頭円錐形の掛け釘を有する変型ベースインサートの一部分を示す断面図である。
【符号の説明】
【００３６】
１０  ケース
２０  ネックレス、細長物品
４０  蓋
１００  ベース部材
１０２  上面
１０４  下面
１１０  開放区域
１１２  一側縁
１３０  ベースインサート
１５０  掛け釘
１５１  ヘッド部分
１５２’  上端
１５４’  下端
１８０  蓋インサート、ポリウレタンシート
２００  蓋
３００  固定手段
３０２  ラッチ
３０４  ラッチ受けブロック
３１０  ヒンジ
４００  第２蓋
４８０  第２蓋インサート
５００  第２固定手段
５０２  ラッチ
５０４  ラッチ受けブロック
５１０  ヒンジ
６００  画室仕切部材
６０２  画室
【図１】
2006514905.tif 000003
【図３】
2006514905.tif 000004
【図２】
2006514905.tif 000005
【図５】
2006514905.tif 000006
【図４】
2006514905.tif 000007
【図６】
2006514905.tif 000008
【国際調査報告】
2006514905.tif 000009